(57)【要約】【課題】  デジタルカメラ等の撮影装置とテレビとをつなげてスライドショーを再生する際に、スライドショーの再生時間が分かるようにする。【解決手段】  静止画像、動画像および音声を時系列順に並べて連続してスライドショートして再生する。各静止画像の再生時間、動画像の再生時間および音声の再生時間から、スライドショー全体の再生時間を算出してＬＣＤ１６に表示する。【選択図】          図１
2005354487.tif 000002
【特許請求の範囲】
【請求項１】
静止画像、動画像および音声の少なくとも１つを所定の順序にて連続して再生するスライドショーにおける再生の態様を設定する再生設定手段と、
各種表示を行う表示手段と、
前記スライドショーを前記表示手段に再生するスライドショー再生手段と、
前記スライドショーを外部装置に出力するスライドショー出力手段と、
該設定された態様にて再生される前記スライドショーの再生時間を算出する再生時間算出手段と、
該再生時間を前記スライドショーの再生前に前記表示手段に表示する時間表示制御手段とを備えたことを特徴とするスライドショー再生装置。
【請求項２】
静止画像、動画像および音声の少なくとも１つを所定の順序にて連続して再生するスライドショーにおける再生の態様を設定する再生設定手段と、
各種表示を行う表示手段と、
前記スライドショーを前記表示手段に再生するスライドショー再生手段と、
前記スライドショーを外部装置に出力するスライドショー出力手段と、
該設定された態様にて再生される前記スライドショーの再生時間を算出する再生時間算出手段と、
前記スライドショーの経過時間および前記再生時間と前記経過時間とから算出した残り時間を前記表示手段に表示する時間表示制御手段とを備えたことを特徴とするスライドショー再生装置。
【請求項３】
現在の日時を計測する計時手段をさらに備え、
前記時間表示制御手段は、前記残り時間と現在の時刻とから算出した前記スライドショーの終了予定時刻を前記表示手段にさらに表示する手段であることを特徴とする請求項２記載のスライドショー再生装置。
【請求項４】
各種表示を行う表示手段と、
静止画像、動画像および音声の少なくとも１つを所定の順序にて連続して再生するスライドショーを前記表示手段に再生するスライドショー再生手段と、
前記スライドショーを外部装置に出力するスライドショー出力手段と、
前記スライドショーを連続再生する連続再生時間を設定する再生時間設定手段と、
前記スライドショーの連続再生時間が前記設定した連続再生時間に達した場合に前記スライドショーの再生を一時停止する再生停止手段とを備えたことを特徴とするスライドショー再生装置。
【請求項５】
静止画像、動画像および音声の少なくとも１つを所定の順序にて連続して再生するスライドショーを、信号入力が停止すると電源をオフとする機能を有する外部装置に出力して再生するスライドショー出力再生手段と、
前記スライドショーの再生が終了した場合に、前記スライドショー出力再生手段からの信号出力を停止するまたは装置本体の電源をオフとする出力停止手段とを備えたことを特徴とするスライドショー再生装置。
【請求項６】
静止画像、動画像および音声の少なくとも１つを所定の順序にて連続して再生するスライドショーにおける再生の態様を設定する再生設定手段と、
各種表示を行う表示手段と、
前記スライドショーを前記表示手段に再生するスライドショー再生手段と、
前記スライドショーを外部装置に出力するスライドショー出力手段とを備えたスライドショー再生装置におけるスライドショー再生方法において、
該設定された態様にて再生される前記スライドショーの再生時間を算出し、
該再生時間を前記スライドショーの再生前に前記表示手段に表示することを特徴とするスライドショー再生方法。
【請求項７】
静止画像、動画像および音声の少なくとも１つを所定の順序にて連続して再生するスライドショーにおける再生の態様を設定する再生設定手段と、
各種表示を行う表示手段と、
前記スライドショーを前記表示手段に再生するスライドショー再生手段と、
前記スライドショーを外部装置に出力するスライドショー出力手段とを備えたスライドショー再生装置におけるスライドショー再生方法において、
該設定された態様にて再生される前記スライドショーの再生時間を算出し、
前記スライドショーの経過時間および前記再生時間と前記経過時間とから算出した残り時間を前記表示手段に表示することを特徴とするスライドショー再生方法。
【請求項８】
各種表示を行う表示手段と、
静止画像、動画像および音声の少なくとも１つを所定の順序にて連続して再生するスライドショーを前記表示手段に再生するスライドショー再生手段と、
前記スライドショーを外部装置に出力するスライドショー出力手段とを備えたスライドショー再生装置におけるスライドショー再生方法において、
前記スライドショーを連続再生する連続再生時間を設定し、
前記スライドショーの連続再生時間が前記設定した連続再生時間に達した場合に前記スライドショーの再生を一時停止することを特徴とするスライドショー再生方法。
【請求項９】
静止画像、動画像および音声の少なくとも１つを所定の順序にて連続して再生するスライドショー再生装置におけるスライドショー再生方法において、
前記スライドショーを、信号入力が停止すると電源をオフとする機能を有する外部装置に出力して再生し、
前記スライドショーの再生が終了した場合に、前記スライドショーの出力を停止するまたは前記スライドショー再生装置の電源をオフとすることを特徴とするスライドショー再生方法。
【請求項１０】
静止画像、動画像および音声の少なくとも１つを所定の順序にて連続して再生するスライドショーにおける再生の態様を設定する再生設定手段と、
各種表示を行う表示手段と、
前記スライドショーを前記表示手段に再生するスライドショー再生手段と、
前記スライドショーを外部装置に出力するスライドショー出力手段とを備えたスライドショー再生装置におけるスライドショー再生方法をコンピュータに実行させるためのプログラムにおいて、
該設定された態様にて再生される前記スライドショーの再生時間を算出する手順と、
該再生時間を前記スライドショーの再生前に前記表示手段に表示する手順とを有することを特徴とするプログラム。
【請求項１１】
静止画像、動画像および音声の少なくとも１つを所定の順序にて連続して再生するスライドショーにおける再生の態様を設定する再生設定手段と、
各種表示を行う表示手段と、
前記スライドショーを前記表示手段に再生するスライドショー再生手段と、
前記スライドショーを外部装置に出力するスライドショー出力手段とを備えたスライドショー再生装置におけるスライドショー再生方法をコンピュータに実行させるためのプログラムにおいて、
該設定された態様にて再生される前記スライドショーの再生時間を算出する手順と、
前記スライドショーの経過時間および前記再生時間と前記経過時間とから算出した残り時間を前記表示手段に表示する手順とを有することを特徴とするプログラム。
【請求項１２】
各種表示を行う表示手段と、
静止画像、動画像および音声の少なくとも１つを所定の順序にて連続して再生するスライドショーを前記表示手段に再生するスライドショー再生手段と、
前記スライドショーを外部装置に出力するスライドショー出力手段とを備えたスライドショー再生装置におけるスライドショー再生方法をコンピュータに実行させるためのプログラムにおいて、
前記スライドショーを連続再生する連続再生時間を設定する手順と、
前記スライドショーの連続再生時間が前記設定した連続再生時間に達した場合に前記スライドショーの再生を一時停止する手順とを有することを特徴とするプログラム。
【請求項１３】
静止画像、動画像および音声の少なくとも１つを所定の順序にて連続して再生するスライドショー再生装置におけるスライドショー再生方法をコンピュータに実行させるためのプログラムにおいて、
前記スライドショーを、信号入力が停止すると電源をオフとする機能を有する外部装置に出力して再生する手順と、
前記スライドショーの再生が終了した場合に、前記スライドショーの出力を停止するまたは前記スライドショー再生装置の電源をオフとする手順とを有することを特徴とするプログラム。
【発明の詳細な説明】
【技術分野】
【０００１】
本発明は、静止画像、動画像および音声を所定の順序にて連続して再生するスライドショー再生装置および方法並びにスライドショー再生方法をコンピュータに実行させるためのプログラムに関するものである。
【背景技術】
【０００２】
デジタルカメラの多くはビデオ出力端子を有しており、これによりデジタルカメラとテレビとを接続して、デジタルカメラにおいて取得した静止画像、動画像および音声をテレビに再生することができる。この場合、デジタルカメラのボタンを用いて、再生される静止画像を手動でコマ送り表示したり、動画像および音声を再生するのみならず、デジタルカメラのメモリカードに記録されている静止画像、動画像および音声を例えば撮影日時順に連続して再生することにより、テレビにスライドショーを再生することができる。この場合、デジタルカメラのユーザは、静止画像１つ当たりの再生時間を設定することにより、静止画像が設定した時間表示された後に切り替わり、動画像および音声が取得した順序で切り替わりつつ再生されるスライドショーを再生することができる。
【０００３】
このようなスライドショーを再生可能なデジタルカメラにおいて、スライドショーの再生の態様を複数種類記憶することにより、様々な態様にてスライドショーを再生可能としたものが提案されている（特許文献１参照）。また、あらかじめ再生時間を設定しておき、選択した画像が設定した再生時間内に再生されるようにしたデジタルカメラも提案されている（特許文献２参照）。また、画像データに音声データが付帯されている場合に、音声データの再生時間を考慮してスライドショーを再生する手法も提案されている（特許文献３参照）。
【０００４】
また、一定時間操作が入力されないと電源をオフとする機能を備えたデジタルカメラにおいて、スライドショーの再生中は、一定時間操作が入力されなくても電源をオフとしないようにする手法も提案されている（特許文献４参照）。さらに、スライドショーの再生途中にスライドショーの再生を停止した場合に、停止位置を記憶しておき、次回のスライドショーの再生時には前回の停止位置から再生を開始する手法も提案されている（特許文献５参照）。
【０００５】
ところで、デジタルカメラにおいて取得した静止画像、動画像および音声を、パソコンにおいて再生することができる。このため、デジタルカメラにおいて取得したユーザの子供の静止画像、動画像および音声を、パソコンを所持している人（例えば祖父母）に渡せば、その人がパソコンにおいて静止画像、動画像および音声からスライドショーを作成することにより、スライドショー再生することができる。
【０００６】
一方、パソコンを有さない人に静止画像、動画像および音声を渡したい場合には、デジタルカメラとテレビとを接続してテレビにスライドショーを再生し、ビデオテープや記録可能なＤＶＤ等のメディア（以下ビデオテープで代表させる）にスライドショーを録画して渡すことが考えられる。これにより、ビデオテープを再生すれば、スライドショーをテレビに表示して楽しむことができる。また、これによりスライドショーのバックアップを行うことが可能である。
【特許文献１】特開平１１−３３１７３９号公報
【特許文献２】特開平１０−２２４７４５号公報
【特許文献３】特開２００２−１２５１９８号公報
【特許文献４】特開２０００−１１５６７５号公報
【特許文献５】特開２００３−３０９７９０号公報
【発明の開示】
【発明が解決しようとする課題】
【０００７】
しかしながら、録画を目的としたスライドショーの再生中に、ビデオテープの残量がなくなってしまって録画が停止してもスライドショーは停止しないため、録画を失敗してしまうことから、スライドショーの再生および録画をやり直さなければならなくなる。
【０００８】
また、ビデオテープの残量がなくなった場合、ビデオテープを入れ替える必要があるが、その間にもスライドショーは再生し続けるため、ユーザはスライドショーを停止する必要がある。しかしながら、ユーザはテープの残量がなくなるタイミングとスライドショーを停止するタイミングとを一致させるように、デジタルカメラおよびビデオテープの双方を同時に監視する必要があるため、ユーザの負担が大きい。
【０００９】
また、ユーザはスライドショーの録画を監視し続けているわけではなく、録画中に他の用事を行う場合が考えられる。このような場合において、ビデオテープの残量があるにもかかわらずスライドショーが終了してしまうと、ユーザは録画を停止できないため、スライドショーの終了後にはビデオテープには何も録画されないにもかかわらず、録画が続けられてしまうという問題がある。
【００１０】
本発明は上記事情に鑑みなされたものであり、スライドショーの再生時間が分かるようにすることを第１の目的とする。
【００１１】
また、本発明は、スライドショー録画時のユーザの負担を軽減することを第２の目的とする。
【００１２】
また、本発明は、無駄な録画を防止することを第３の目的とする。
【課題を解決するための手段】
【００１３】
本発明による第１のスライドショー再生装置は、静止画像、動画像および音声の少なくとも１つを所定の順序にて連続して再生するスライドショーにおける再生の態様を設定する再生設定手段と、
各種表示を行う表示手段と、
前記スライドショーを前記表示手段に再生するスライドショー再生手段と、
前記スライドショーを外部装置に出力するスライドショー出力手段と、
該設定された態様にて再生される前記スライドショーの再生時間を算出する再生時間算出手段と、
該再生時間を前記スライドショーの再生前に前記表示手段に表示する時間表示制御手段とを備えたことを特徴とするものである。
【００１４】
本発明による第２のスライドショー再生装置は、静止画像、動画像および音声の少なくとも１つを所定の順序にて連続して再生するスライドショーにおける再生の態様を設定する再生設定手段と、
各種表示を行う表示手段と、
前記スライドショーを前記表示手段に再生するスライドショー再生手段と、
前記スライドショーを外部装置に出力するスライドショー出力手段と、
該設定された態様にて再生される前記スライドショーの再生時間を算出する再生時間算出手段と、
前記スライドショーの経過時間および前記再生時間と前記経過時間とから算出した残り時間を前記表示手段に表示する時間表示制御手段とを備えたことを特徴とするものである。
【００１５】
なお、本発明による第２のスライドショー再生装置においては、現在の日時を計測する計時手段をさらに備えるものとし、
前記時間表示制御手段を、前記残り時間と現在の時刻とから算出した前記スライドショーの終了予定時刻を前記表示手段にさらに表示する手段としてもよい。
【００１６】
本発明による第３のスライドショー再生装置は、各種表示を行う表示手段と、
静止画像、動画像および音声の少なくとも１つを所定の順序にて連続して再生するスライドショーを前記表示手段に再生するスライドショー再生手段と、
前記スライドショーを外部装置に出力するスライドショー出力手段と、
前記スライドショーを連続再生する連続再生時間を設定する再生時間設定手段と、
前記スライドショーの連続再生時間が前記設定した連続再生時間に達した場合に前記スライドショーの再生を一時停止する再生停止手段とを備えたことを特徴とするものである。
【００１７】
本発明による第４のスライドショー再生装置は、静止画像、動画像および音声の少なくとも１つを所定の順序にて連続して再生するスライドショーを、信号入力が停止すると電源をオフとする機能を有する外部装置に出力して再生するスライドショー出力再生手段と、
前記スライドショーの再生が終了した場合に、前記スライドショー出力再生手段からの信号出力を停止するまたは装置本体の電源をオフとする出力停止手段とを備えたことを特徴とするものである。
【００１８】
本発明による第１のスライドショー再生方法は、静止画像、動画像および音声の少なくとも１つを所定の順序にて連続して再生するスライドショーにおける再生の態様を設定する再生設定手段と、
各種表示を行う表示手段と、
前記スライドショーを前記表示手段に再生するスライドショー再生手段と、
前記スライドショーを外部装置に出力するスライドショー出力手段とを備えたスライドショー再生装置におけるスライドショー再生方法において、
該設定された態様にて再生される前記スライドショーの再生時間を算出し、
該再生時間を前記スライドショーの再生前に前記表示手段に表示することを特徴とするものである。
【００１９】
本発明による第２のスライドショー再生方法は、静止画像、動画像および音声の少なくとも１つを所定の順序にて連続して再生するスライドショーにおける再生の態様を設定する再生設定手段と、
各種表示を行う表示手段と、
前記スライドショーを前記表示手段に再生するスライドショー再生手段と、
前記スライドショーを外部装置に出力するスライドショー出力手段とを備えたスライドショー再生装置におけるスライドショー再生方法において、
該設定された態様にて再生される前記スライドショーの再生時間を算出し、
前記スライドショーの経過時間および前記再生時間と前記経過時間とから算出した残り時間を前記表示手段に表示することを特徴とするものである。
【００２０】
本発明による第３のスライドショー再生方法は、各種表示を行う表示手段と、
静止画像、動画像および音声の少なくとも１つを所定の順序にて連続して再生するスライドショーを前記表示手段に再生するスライドショー再生手段と、
前記スライドショーを外部装置に出力するスライドショー出力手段とを備えたスライドショー再生装置におけるスライドショー再生方法において、
前記スライドショーを連続再生する連続再生時間を設定し、
前記スライドショーの連続再生時間が前記設定した連続再生時間に達した場合に前記スライドショーの再生を一時停止することを特徴とするものである。
【００２１】
本発明による第４のスライドショー再生方法は、静止画像、動画像および音声の少なくとも１つを所定の順序にて連続して再生するスライドショー再生装置におけるスライドショー再生方法において、
前記スライドショーを、信号入力が停止すると電源をオフとする機能を有する外部装置に出力して再生し、
前記スライドショーの再生が終了した場合に、前記スライドショーの出力を停止するまたは前記スライドショー再生装置の電源をオフとすることを特徴とするものである。
【００２２】
なお、本発明による第１から第４のスライドショー再生方法をコンピュータに実行させるためのプログラムとして提供してもよい。
【発明の効果】
【００２３】
本発明の第１のスライドショー再生装置および方法によれば、再生の態様が設定されたスライドショーの再生時間が算出され、この再生時間がスライドショーの再生前に表示される。このため、ユーザは、スライドショーの再生時間を知ることにより、スライドショーをビデオテープに録画する際に、スライドショーの再生時間に見合った残量を有するビデオテープを用いることができ、その結果、スライドショーの録画中にビデオテープの残量がなくなってしまうことを防止できる。
【００２４】
本発明の第２のスライドショー再生装置および方法によれば、再生の態様が設定されたスライドショーの再生時間が算出され、スライドショーの再生中に、スライドショーの経過時間および再生時間と経過時間とから算出した残り時間が表示される。このため、ユーザは、スライドショーの再生中に、スライドショーの残り時間を知ることができ。
【００２５】
この場合、スライドショーの終了予定時刻をさらに表示することにより、ユーザはいつスライドショーが終了するかを容易に知ることができる。
【００２６】
本発明の第３のスライドショー再生装置および方法によれば、スライドショーを連続して再生する連続再生時間が設定され、スライドショーの再生時間が設定した連続再生時間に達した場合に、スライドショーの再生が一時停止される。このため、スライドショーをビデオテープに録画する際に、ビデオテープの残量の時間を連続再生時間として設定することにより、ビデオテープの残量がなくなったときに、スライドショーが停止することとなる。したがって、ユーザはビデオテープの残量およびスライドショーの双方を同時に監視する必要がなくなり、その結果、スライドショーを録画するユーザの負担を軽減することができる。
【００２７】
本発明の第４のスライドショー再生装置および方法によれば、信号入力が停止すると電源をオフとする機能を有する例えばビデオテープレコーダやＤＶＤレコーダ等の外部装置にスライドショーが出力され、スライドショーの再生が終了すると、信号出力が停止されるまたは電源がオフとされる。これにより、外部装置の電源もオフとされるため、スライドショーが終了した後に、無駄な録画が行われてしまうことを防止できる。
【発明を実施するための最良の形態】
【００２８】
以下、図面を参照して本発明の実施形態について説明する。図１は本発明の実施形態によるスライドショー再生装置を適用したデジタルカメラの構成を示す概略ブロック図である。
【００２９】
図１に示すように、デジタルカメラ１には、被写体像を受光面に結像させて光電変換し、画像データ（静止画像データおよび動画像データを含む）として出力する、撮影レンズ、ＣＣＤおよびシャッタ等を備えた撮像部２０と、デジタルカメラ１全体の制御を行うとともに画像データのサンプリングタイミング制御、画像データの記録制御および表示制御等の各種制御を行うＣＰＵ２２と、画像サイズを変更する処理、並びにシャープネス補正、ガンマ補正、コントラスト補正およびホワイトバランス補正等の画像データにより表される画像の画質を向上させるセットアップ処理を行う信号処理部２４と、アナログ情報の画像データをデジタルの画像データに変換するＡ／Ｄ変換器２６と、ストロボ２８と、ストロボ２８の操作を制御するストロボ制御部３０と、種々の指示をデジタルカメラ１に対して行うための入力部３２と、入力部３２の設定情報を入力するインターフェースであるＩ／Ｏ３４とが設けられている。
【００３０】
なお、入力部３２には、画像データのメモリカード１０への記録画素数および記録フォーマットを設定したり、撮影モード、再生モードおよびスライドショーモード等のデジタルカメラの動作モードを設定したり等するためのモード切替ダイヤル、十字キー、設定スイッチおよびシャッタボタン等の各種スイッチが設けられている。なお、スライドショー時には、スライドショーが終了した場合に、信号出力をオフとする信号オフモードを入力部３２により設定することが可能である。
【００３１】
また、デジタルカメラ１には、画像データをＪＰＥＧやモーションＪＰＥＧに代表される手法で圧縮したり、圧縮した画像データを解凍する圧縮解凍部３６と、メモリカードスロット３８に着脱可能に装着されたメモリカード１０に画像データを記録したり読み出したりするために画像データを変換するカードインターフェース４２とが設けられている。
【００３２】
また、デジタルカメラ１には、後述するスライドショー再生プログラム等のＣＰＵ２２を動作させるプログラムや各種定数が記録されているＲＯＭおよびＣＰＵ２２が処理を実行する際の作業領域となるＲＡＭにより構成されるシステムメモリ４４と、デジタルカメラ１の各種設定定数を電源遮断後も記録し続けることが可能な書き替え可能な不揮発性メモリ４６と、タイマ撮影時に駆動されるタイマ４８と、現在の時刻を刻むカレンダ時計５０と、画像データを液晶モニタ（ＬＣＤ）１６に表示するためのＤ／Ａ変換等を行うＬＣＤ制御部５４と、ＣＰＵ２２から指令される表示用の画像データを一時的に記録しておくＶＲＡＭ等で構成されているフレームメモリ５６と、ＣＰＵ２２から指令されるコード情報を表示する文字やメッセージデータに変換して画像とともにオンスクリーンディスプレイするＯＳＤ５８とが設けられている。なお、電力を各部へ供給するバッテリ６０も設けられている。
【００３３】
また、デジタルカメラ１には、画像データやスライドショーをテレビ、ビデオテープレコーダおよびＤＶＤレコーダ等の外部装置に出力するためのビデオ出力端子６１および画像データやスライドショーを外部装置において再生可能に変換するためのビデオインターフェース６２とが設けられている。また、音声を入力するためのマイク６３と、音声を出力するためのスピーカ６４と、音声を音声データに変換するための音声インターフェース６５とが設けられている。
【００３４】
そしてＣＰＵ２２がシステムメモリ４４から各種プログラムを読み出して実行することにより、ＣＰＵ２２が再生設定手段、スライドショー再生手段、再生時間算出手段、時間表示制御手段、再生時間設定手段、再生停止手段、スライドショー出力再生手段、および出力停止手段として機能する。
【００３５】
また、撮像部２０により取得された画像データは、信号処理部２４により画像処理が施された後、Ａ／Ｄ変換部２６によりデジタルの画像データに変換され、さらにユーザにより設定された記録画像数および記録フォーマットにて圧縮解凍部３６において圧縮されてメモリカード１０に記録される。また、マイク６３において得られた音声データもメモリカード１０に記録される。
【００３６】
次いで、本実施形態において行われる処理について説明する。図２は本発明の実施形態において行われる第１の処理を示すフローチャートである。なお、メモリカード１０には撮影により取得された静止画像データ、動画像データおよび録音した音声データが記録されているものとする。また、本実施形態においては、静止画像データ、動画像データおよび音声データを時系列順に並べてスライドショーを再生するものとする。なお、スライドショーにおける静止画像データ、動画像データおよび音声データの並び順はこれに限定されるものではない。また、図３に示すように、デジタルカメラ１はビデオ出力端子６１を介してビデオテープレコーダ８０と接続されている。またビデオテープレコーダ８０は、テレビ８１と接続されている。本実施形態においては、デジタルカメラ１が出力したスライドショーをビデオテープレコーダ８０においてビデオテープに録画し、録画中のスライドショーをテレビ８１に表示するものとする。
【００３７】
ユーザがデジタルカメラ１の動作モードをスライドショーモードに設定することにより処理が開始され、ＣＰＵ２２はＬＣＤ１６に操作画面を表示する（ステップＳＴ１）。図４は操作画面を示す図である。図４に示すように、操作画面９０には、スライドショーにおいて静止画像データにより表される静止画像１つ当たりの再生時間を設定する設定フィールド９０Ａおよびスライドショー全体の再生時間を表示する再生時間表示フィールド９０Ｂが表示されている。本実施形態においては、設定フィールド９０Ａにおいて、スライドショーにおける静止画像１つ当たりの再生時間を、４秒および１０秒の２通りに設定可能とされている。
【００３８】
ユーザは、入力部３２を用いて静止画像１つ当たりの再生時間を選択する。このため、ＣＰＵ２２はユーザによる再生時間の選択を受け付ける（ステップＳＴ２）。なお、設定フィールド９０Ａにおいて選択された再生時間は表示が反転される。次いでＣＰＵ２２は選択された再生時間に応じて、スライドショー全体の再生時間の算出処理を行う（ステップＳＴ３）。
【００３９】
図５は再生時間の算出処理を示すフローチャートである。図５に示すように、まず、初期値として全体の再生時間ｔを０に、静止画像１つ当たりの再生時間Δｔを操作画面９０においてユーザが選択した値に設定する（ステップＳＴ１１）。そして、処理対象となるデータを時系列順で最も古いデータ（すなわち初期データ）に設定し（ステップＳＴ１２）、処理対象データのファイルタイプを判定する（ステップＳＴ１３）。すなわち、処理対象データが静止画像データ、動画像データおよび音声データのいずれであるかを判定する。
【００４０】
処理対象データが静止画像データである場合には、全体の再生時間ｔをｔ＋Δｔに設定する（ステップＳＴ１４）。また、処理対象データが動画像データである場合には、全体の再生時間ｔをｔ＋（動画像の長さ）に設定する（ステップＳＴ１５）。また、処理対象データが音声データである場合には、全体の再生時間ｔをｔ＋（音声の長さ）に設定する（ステップＳＴ１６）。
【００４１】
ステップＳＴ１４，１５，１６に続いて、すべてのデータについて算出を終了したか否かを判定する（ステップＳＴ１７）。ステップＳＴ１７が否定されると、処理対象を次のデータに設定し（ステップＳＴ１８）、ステップＳＴ１３に戻る。ステップＳＴ１７が肯定されると再生時間算出処理を終了する。
【００４２】
図２に戻り、ステップＳＴ３に続いて、ＣＰＵ２２は算出された再生時間ｔを操作画面９０の再生時間表示フィールド９０Ｂに表示する（ステップＳＴ４、図４参照）。そして、静止画像１つ当たりの再生時間の変更またはスライドショーの再生のいずれの指示の入力がなされたかを判定し（ステップＳＴ５）、指示の入力がスライドショーの再生である場合は、スライドショーをビデオテープレコーダ８０に出力し（ステップＳＴ６）、処理を終了する。これにより、ビデオテープレコーダ８０と接続されたテレビ８１にはスライドショーが再生される。一方、指示の入力が静止画像１つ当たりの再生時間の変更である場合にはステップＳＴ３に戻り、ステップＳＴ３以降の処理を繰り返す。
【００４３】
このように、第１の実施形態においては、スライドショーの全体の再生時間を算出してスライドショーの再生前にこれを表示するようにしたため、ユーザは、スライドショーの再生時間を知ることができる。これにより、スライドショーをビデオテープに録画する際に、スライドショーの再生時間に見合った残量を有するビデオテープを用いることができ、その結果、スライドショーの録画中にビデオテープの残量がなくなってしまうことを防止できる。
【００４４】
次いで、本実施形態において行われる第２の処理について説明する。図６は本発明において行われる第２の処理を示すフローチャートである。なお、第２の処理においてステップＳＴ２１からステップＳＴ２６までの処理は、上記第１の処理におけるステップＳＴ１からステップＳＴ６までの処理と同一であるため、ここでは詳細な説明は省略する。
【００４５】
ステップＳＴ２６に続いて、ＣＰＵ２２はスライドショーの経過時間ｔｐ、スライドショーの残り時間ｔｒ（＝ｔ−ｔｐ）およびスライドショーの終了予定時刻（＝現在の時刻＋ｔｒ）を算出する（ステップＳＴ２７）。なお、現在の時刻はカレンダ時計５０から取得する。そして、スライドショーの経過時間ｔｐ、残り時間ｔｒ、終了予定時刻をＬＣＤ１６に表示する（ステップＳＴ２８）。
【００４６】
図７は第２の処理におけるスライドショー再生時のＬＣＤ１６の表示画面を示す図である。図７に示すようにスライドショー表示画面９１には、スライドショーを表示するスライドショー表示フィールド９１Ａおよび時間表示フィールド９１Ｂが表示される。時間表示フィールド９１Ｂには、経過時間ｔｐが「経過」、残り時間ｔｒが「残り」、全体の再生時間ｔが「全体」、終了予定時刻が「終了時刻」として表示されている。
【００４７】
続いて、スライドショーにおいてデータを１つ再生すると（ステップＳＴ２９）、経過時間ｔｐをｔｐ＋（データ再生時間）に、残り時間ｔｒをｔ−ｔｐに設定し（ステップＳＴ３０）、スライドショーが終了したか否かを判定する（ステップＳＴ３１）。ステップＳＴ３１が否定されるとステップＳＴ２８に戻り、新たに設定された経過時間ｔｐおよび残り時間ｔｒを表示すべく、ステップＳＴ２８以降の処理を繰り返す。
【００４８】
ステップＳＴ３１が肯定されると、ＣＰＵ２２はスライドショーのモードが信号オフモードに設定されているか否かを判定する。ステップＳＴ３２が肯定されると、ビデオ出力端子６１からのビデオ信号出力を停止し（ステップＳＴ３３）、処理を終了する。ステップＳＴ３２が否定されるとそのまま処理を終了する。
【００４９】
これにより、ビデオテープレコーダ８０が信号入力がオフとなると電源をオフとする構成を有する場合、スライドショーが終了するとビデオテープレコーダ８の電源がオフとなる。
【００５０】
このように、本実施形態の第２の処理においては、スライドショーの再生中に、スライドショーの経過時間および残り時間を表示するようにしたため、ユーザはスライドショーの再生中に、スライドショーの残り時間を知ることができる。また、スライドショーの終了予定時刻をさらに表示することにより、ユーザはいつスライドショーが終了するかを容易に知ることができる。
【００５１】
また、ビデオテープレコーダ８０が、信号入力が停止すると電源をオフとする機能を有する場合に、スライドショーの再生が終了すると、ビデオテープレコーダ８０の電源がオフとされるため、スライドショーが終了した後に録画が終了し、これにより無駄な録画が行われてしまうことを防止できる。
【００５２】
なお、上記第２の処理においてはステップＳＴ３３においてビデオ信号の出力を停止しているが、デジタルカメラ１の電源をオフとしてもよい。
【００５３】
次いで、本発明の実施形態の第３の処理について説明する。図８は本発明の実施形態の第３の処理を示すフローチャートである。まず、ＣＰＵ２２は、ユーザによる入力部３２を用いてのスライドショーの連続再生時間ＴＢの入力を受け付ける（ステップＳＴ４１）。そして、スライドショーの再生を一時停止するポーズ予定時間ｔｂをＴＢに設定する（ステップＳＴ４２）。続いて、スライドショーをビデオテープレコーダ８０に出力する（ステップＳＴ４３）。これにより、ビデオテープレコーダ８０と接続されたテレビ８１にはスライドショーが再生される。そして、現在の経過時間ｔｐを初期値である０に設定し（ステップＳＴ４４）、スライドショーにおいて次に再生されるデータの再生時間ｔｎをチェックする（ステップＳＴ４５）。そして、ｔｐ＋ｔｎがｔｂを超えるか否かを判定し（ステップＳＴ４６）、ステップＳＴ４６が否定されると、次のデータを再生し（ステップＳＴ４７）、ｔｐをｔｐ＋ｔｎに設定し（ステップＳＴ４８）、ステップＳＴ４５に戻る。
【００５４】
ステップＳＴ４６が肯定されると、スライドショーを一時停止してポーズ画面を表示する（ステップＳＴ４９）。図９はポーズ画面を示す図である。図９に示すようにポーズ画面９２には、連続再生時間を２０分と設定した場合において、「２０分再生しました。続きを再生しますか？」のガイダンス９２Ａ、続きを再生する場合に押下されるＯＫボタン９２Ｂおよび続きを再生しない場合に押下されるキャンセルボタン９２Ｃが表示される。
【００５５】
続いて、ユーザによる入力を受け付け（ステップＳＴ５０）、入力がキャンセル（すなわちキャンセルボタン９２Ｃの押下）である場合には処理を終了する。入力がＯＫ（すなわちＯＫボタン９２Ｂの押下）である場合には、ポーズ予定時間ｔｂをｔｐ＋ＴＢに設定し（ステップＳＴ５１）、ステップＳＴ４７に進み、ステップＳＴ４７以降の処理を行う。これにより、次回はさらに時間ＴＢが経過したときにステップＳＴ４６が否定され、スライドショーが一時停止されることとなる。なお、一時停止を解除するとスライドショーは停止時に再生していたデータの次のデータから再生を開始する。
【００５６】
このように本実施形態の第３の処理においては、スライドショーがあらかじめ設定した連続再生時間ＴＢ再生されると一時停止されるため、スライドショーをビデオテープに録画する際に、ビデオテープの残量の時間を連続再生時間ＴＢとして設定することにより、ビデオテープの残量がなくなったときに、スライドショーが停止することとなる。したがって、ユーザはビデオテープの残量およびスライドショーの双方を同時に監視する必要がなくなり、その結果、スライドショーを録画するユーザの負担を軽減することができる。
【００５７】
なお、上記実施形態においては、第１の処理から第３の処理をそれぞれ別個に説明しているが、第１の処理または第２の処理と第３の処理とを組み合わせて実施してもよい。
【００５８】
また、上記時桁においては、スライドショーをビデオテープに録画しているが、記録可能なＤＶＤに録画するようにしてもよい。
【図面の簡単な説明】
【００５９】
【図１】本発明の実施形態によるスライドショー再生装置を適用したデジタルカメラの構成を示す概略ブロック図
【図２】本発明の実施形態において行われる第１の処理を示すフローチャート
【図３】デジタルカメラ、テレビおよびビデオテープレコーダの接続状態を示す図
【図４】操作画面を示す図
【図５】再生時間の算出処理を示すフローチャート
【図６】本発明の実施形態において行われる第２の処理を示すフローチャート
【図７】第２の処理におけるスライドショー再生時の表示画面を示す図
【図８】本発明の実施形態において行われる第３の処理を示すフローチャート
【図９】ポーズ画面を示す図
【符号の説明】
【００６０】
１    デジタルカメラ
１０    メモリカード
２０  撮像部
２２  ＣＰＵ
８０  テレビ
８１  ビデオテープレコーダ
【図１】
2005354487.tif 000003
【図２】
2005354487.tif 000004
【図３】
2005354487.tif 000005
【図４】
2005354487.tif 000006
【図５】
2005354487.tif 000007
【図６】
2005354487.tif 000008
【図７】
2005354487.tif 000009
【図８】
2005354487.tif 000010
【図９】
2005354487.tif 000011